(57)【要約】【課題】鏡筒をホルダにねじ込む際、ホルダから鏡筒が突出して撮像素子に突き当らないようにする。【解決手段】ホルダ４０の内周面に雌ネジ部１７を形成する。雌ネジ部１７の終端に谷部１７ｂから山部１７ａに向かって傾斜したストッパ部１９を形成する。ホルダ４０の雌ネジ部１７に鏡筒１５の雄ネジ部１６を螺着すると、鏡筒１５の雄ネジ部１６の始端がホルダ４０の雌ネジ部１７の終端に形成したストッパ部１９に突き当り、鏡筒１５の締め付け方向の回転が規制される。これにより、ホルダ４０に螺着した鏡筒１５のネジ込み量を調整する際などにおいて、ホルダ４０から鏡筒１５が突出して撮像素子２０に衝突することを防止できる【選択図】図２
2009294339.tif 000002
【特許請求の範囲】
【請求項１】
内周面の雌ネジ部を有する筒体を合成樹脂によって成形する合成樹脂製品において、前記雌ネジ部の谷部の終端部にストッパ部を形成し、前記雌ネジ部に相手側製品の雄ネジ部を螺着した際、その雄ネジ部の始端を前記ストッパ部に当接させて相手側製品の締め付け方向の回転を規制するように構成したことを特徴とする合成樹脂製品。
【請求項２】
前記ストッパ部が前記雄ネジ部の谷部から山部の頂部に向かう傾斜面で構成されていることを特徴とする請求項１記載の合成樹脂製品。
【請求項３】
前記相手側製品がレンズユニットを組み込む鏡筒であり、前記筒体が前記鏡筒を組み込むレンズユニットのホルダであることを特徴とする請求項１又は２記載の合成樹脂製品。
【請求項４】
前記レンズユニットが携帯電話に搭載されていることを特徴とする請求項３記載の合成樹脂製品。
【請求項５】
前記合成樹脂製品の成形方法であり、該合成樹脂製品が少なくとも開閉可能な金型と、この金型内に配置される中子型とを備えた、成形機で成形され、その金型と中子型の間に形成されるキャビティ内に溶融樹脂を射出して前記合成樹脂製品を成形するとともに、前記中子型の外周面に前記合成樹脂製品の雌ネジ部を成形する雄ネジ部を形成し、その雌ネジ部の終端に位置して該雌ネジ部の山部を雌ネジ部の山部と連続するように切削し、この切削部によって前記ストッパ部を成形したことを特徴とする合成樹脂製品の成形方法。
【発明の詳細な説明】
【技術分野】
【０００１】
本発明は、例えば携帯電話に搭載のデジタルカメラやモバイル用カメラ等に用いるレンズユニット用部品、特に、薄型のレンズユニットに適したレンズユニット用部品として用いる合成樹脂製品及びその成形方法に関する。
【背景技術】
【０００２】
近年、携帯電話にカメラを搭載したカメラ付き携帯電話が普及し、本願出願人は、特許文献１においてＣＣＤ等の撮像素子が組込まれたホルダと、このホルダに組み込まれるレンズユニットを内蔵する鏡筒と、この鏡筒を螺着する繰出しリングと、前記ホルダと繰出しリングとの間に介在して繰出しリングのガタ付きを防止する弾性体と、繰出しリングに装着した操作ノブとから構成され、繰出しリングを操作用ノブと一体で回動することにより、ホルダの雌ネジと繰出しリングの雄ネジの螺合により繰出しリングを光軸方向に進退（上下動）させて通常撮影とマクロ撮影とを切り換えるように構成したマクロ撮影用レンズユニットを提案している。
【０００３】
【特許文献１】特開２００３−３３７２７９号公報
【発明の開示】
【発明が解決しようとする課題】
【０００４】
前記特許文献１のようにレンズユニットと撮像素子との距離に応じて焦点距離が変わるレンズユニットは、最終的にレンズユニットと撮像素子との焦点距離を調整する必要がある。このため、レンズユニットを内蔵する鏡筒と、この鏡筒を組み込むホルダとがネジによって螺着される構造となっている。すなわち、鏡筒の外周面に雄ネジ部を、ホルダの内周面に雌ネジ部をそれぞれ形成し、レンズユニットを組み付けた鏡筒の雄ネジ部をホルダの雌ネジ部に螺合して、鏡筒のねじ込み量を調整することによりレンズユニットと撮像素子との焦点距離の調整を行い、最終的に鏡筒とホルダとを接着固定して小型撮像モジュールとしてパッケージ化している。
【０００５】
ところで、近年、携帯電話は益々薄型化に向かう傾向にあり、それに伴って携帯電話に搭載する小型撮像モジュールへの薄型化（低背化）への要求が高まっており、レンズユニット自体の薄型化のみならず、レンズユニットと撮像素子との間隔も極めて狭くなるように設定せざるを得ない。このように、レンズユニットと撮像素子との間隔が狭いとレンズユニットと撮像素子との焦点距離を調整する際、ホルダに対して鏡筒をネジ込み過ぎると鏡筒に組み込んだレンズユニットが撮像素子に衝突し、レンズユニット又は撮像素子が破損する危険がある。このため、ホルダに対する鏡筒のねじ込み量を規制して必要以上、鏡筒がねじ込めない対策が必要であるが、例えば、鏡筒の周壁部にフランジ状のストッパ壁を形成し、このストッパ壁をホルダの前面に突き当てるといった構造が考えられる。しかし、このような構造では、ホルダの前面から鏡筒が突出する構造となってしまい、小型撮像モジュールの薄型化（低背化）を阻害する結果となり、小型撮像モジュールの薄型化（低背化）を図り、かつ、鏡筒が所定以上に回転しないように鏡筒の締め付け回転方向の動きを確実に規制する対策が望まれている。
【０００６】
本発明は以上の課題に鑑みなされたものであって、小型撮像モジュールの薄型化を妨害することなく、ホルダに対する鏡筒の締め付け回転方向の動き規制することができる合成樹脂製品及びその成形方法を提供することを目的とする。
【課題を解決するための手段】
【０００７】
請求項１の合成樹脂製品は、内周面の雌ネジ部を有する筒体を合成樹脂によって成形する合成樹脂製品において、前記雌ネジ部の谷部の終端部にストッパ部を形成し、前記雌ネジ部に相手側製品の雄ネジ部を螺着した際、その雄ネジ部の始端を前記ストッパ部に当接させて相手側製品の締め付け方向の回転を規制するように構成したことを特徴とする。
【０００８】
請求項１の合成樹脂製品によれば、相手側製品の雄ネジ部を合成樹脂製品の雌ネジ部に螺着すると、雄ネジ部の始端が雌ネジ部のストッパ部に当接し、相手側製品の締め付け方向の回転が規制される。
【０００９】
請求項２の合成樹脂製品は、前記ストッパ部が前記雄ネジ部の谷部から山部の頂部に向かう傾斜面で構成されていることを特徴とする。
【００１０】
請求項２の構成によれば、合成樹脂製品に相手側製品を螺着すると、相手側製品の雄ネジ部の始端が合成樹脂製品の雌ネジ部の終端に形成した傾斜面に乗り上がり、相手側製品の締め付け方向の回転が規制される。
【００１１】
請求項３の合成樹脂製品は、前記相手側製品がレンズユニットを組み込む鏡筒であり、前記筒体が前記鏡筒を組み込むレンズユニットのホルダであることを特徴とする。
【００１２】
請求項３の構成によれば、レンズユニットを組み込んだ鏡筒をホルダに螺着して組み付ける際、鏡筒の雄ネジ部の始端がホルダの雌ネジ部の終端に形成したストッパ部に突き当って、鏡筒の締め付け方向の回転が規制される。
【００１３】
請求項４の合成樹脂製品は、前記レンズユニットが携帯電話に搭載されていることを特徴とする。
【００１４】
請求項４の構成によれば、薄型化された携帯電話に搭載するカメラのレンズユニットは、レンズユニットの鏡筒やその鏡筒を組み込むホルダも高さも低く設定され、かつ、レンズユニットと撮像素子との間隔も狭いが、レンズユニットを組み込んだ鏡筒をホルダに螺着して組み付ける際、鏡筒を所定量、ホルダから撮像レンズモジュールの撮像素子に向かって鏡筒が突出しないようにホルダに螺着すると鏡筒の締め付け方向の回転が規制される。
【００１５】
請求項５の合成樹脂製品の成形方法は、合成樹脂製品が少なくとも開閉可能な金型と、この金型内に配置される中子型とを備えた、成形機で成形され、その金型と中子型の間に形成されるキャビティ内に溶融樹脂を射出して前記合成樹脂製品を成形するとともに、前記中子型の外周面に前記合成樹脂製品の雌ネジ部を成形する雄ネジ部を形成し、その雌ネジ部の終端に位置して該雌ネジ部の山部を雌ネジ部の山部と連続するように切削し、この切削部によって前記ストッパ部を成形したことを特徴とする。
【００１６】
請求項５の構成によれば、金型と中子型の間に形成されるキャビティ内に溶融樹脂を射出して前記合成樹脂製品を成形する際、中子型の雌ネジ部に形成した切削部によって合成樹脂製品の雌ネジ部にストッパ部が成形される。
【発明の効果】
【００１７】
請求項１の合成樹脂製品によれば、内周面の雌ネジ部を有する筒体を合成樹脂によって成形する合成樹脂製品において、前記雌ネジ部の谷部の終端部にストッパ部を形成し、前記雌ネジ部に相手側製品の雄ネジ部を螺着した際、その雄ネジ部の始端を前記ストッパ部に当接させて相手側製品の締め付け方向の回転を規制するように構成したものであるから、合成樹脂製品に相手側製品を螺着する際、相手側製品の締め付け方向の回転を規制することができるから、特に高さ方向に寸法を取れない薄型化（低背化）した合成樹脂製品において、例えば合成樹脂製品の下方に他の構成部品を配置した場合、相手側製品の締め付け過ぎによる合成樹脂製品から相手側製品の突出を確実に防止することができるから、相手側製品と合成樹脂製品の下方に配置した構成部品との衝突を防止できる。
【００１８】
請求項２の合成樹脂製品によれば、前記ストッパ部が前記雄ネジ部の谷部から山部の頂部に向かう傾斜面で構成されているから、合成樹脂製品に相手側製品をねじ込んだ際、相手側製品の雄ネジ部の始端と合成樹脂製品の雌ネジ部の終端に形成した傾斜面とが強く衝合することなく、相手側製品の雄ネジ部が雌ネジ部の傾斜面に乗り上がるから、雄ネジ部の始端が潰れるなどして相手側製品の動きが悪くなることもなく、相手側製品の円滑な回転操作が可能となる。
【００１９】
請求項３の合成樹脂製品によれば、前記相手側製品がレンズユニットを組み込む鏡筒であり、前記筒体が前記鏡筒を組み込むレンズユニットのホルダであるから、レンズユニットを組み込んだ鏡筒をホルダに螺着してレンズユニットの焦点距離を調整する場合などにおいて、鏡筒と撮像素子との衝突を防止することができる。
【００２０】
請求項４の合成樹脂製品によれば、前記レンズユニットが携帯電話に搭載されているから、薄型化された携帯電話に搭載するカメラの撮像レンズモジュールを組み込む際、撮像レンズモジュールのレンズユニットの鏡筒やその鏡筒を組み込むホルダを薄型化したとしても、ホルダから撮像レンズモジュールの撮像素子に向かって鏡筒が突出することなく、鏡筒に組み込んだレンズユニットと撮像素子との衝突を防止することができる。
【００２１】
請求項５の合成樹脂製品の成形方法によれば、合成樹脂製品が少なくとも開閉可能な金型と、この金型内に配置される中子型とを備えた、成形機で成形され、その金型と中子型の間に形成されるキャビティ内に溶融樹脂を射出して前記合成樹脂製品を成形するとともに、前記中子型の外周面に前記合成樹脂製品の雌ネジ部を成形する雄ネジ部を形成し、その雌ネジ部の終端に位置して該雌ネジ部の山部を雌ネジ部の山部と連続するように切削し、この切削部によって前記ストッパ部を成形したものであるから、中子型の雌ネジ部に形成した切削部によって雌ネジ部に雄ネジ部の締め付け方向の回転を規制するストッパ部を簡単かつ低コストで成形することができる。
【発明を実施するための最良の形態】
【００２２】
以下、本発明を実施するための最良の形態としての実施例を図１及び図２を参照して説明する。もちろん、本発明は、その発明の趣旨に反さない範囲で、実施例において説明した以外のものに対しても容易に適用可能なことは説明を要するまでもない。
【００２３】
図１は本発明の実施例による撮像レンズモジュールの断面図、図２は一部を断面としたホルダの斜視図、図３はストッパ部を示すホルダの要部の拡大斜視図、図４はホルダの成形方法を示す金型装置の断面図、図５は中子型の切削部分を示す説明図である。図１において、撮像レンズモジュール１は、レンズユニット４と、このレンズユニット４を組み込む鏡筒１５と、この鏡筒１５及びＣＣＤ等の撮像素子２０を含む各種電子部品を実装する基板３０が組込まれたホルダ４０などで構成されている。これら撮像レンズモジュール１を構成するレンズユニット４、鏡筒１５、ホルダ４０は樹脂による成形品であり、本発明における合成樹脂製品としての筒体がホルダ４０であり、相手側製品が鏡筒１５である。
【００２４】
前記鏡筒１５は、外周面に雄ネジ部１６が形成され、この雄ネジ部１６を前記ホルダ４０の内周面に形成した雌ネジ１７に螺着することによって、ホルダ４０に鏡筒１５を組み込む。この時、鏡筒１５のネジ込み量によって、鏡筒１５と、この鏡筒１５に一体的に組み込まれるレンズユニット４とが光軸方向に位置調整可能となり、ホルダ４０に対する鏡筒１５の光軸方向の位置を調整した後、接着剤によってホルダ４０と鏡筒１５とを一体化している。
【００２５】
次のホルダ４０の成形方法について説明する。図４に示すようにホルダ４０が少なくとも開閉可能な金型５０と、この金型５０内に配置される中子型５１とを備えた、成形機５２で成形され、その金型５０を型締めし、その金型５０内に中子型５１を配置した後、金型５０と中子型５１の間に形成されるキャビティ５３内に溶融樹脂を射出することによって前記ホルダ４０を成形している。中子型５１は金属製であり、その外周面にホルダ４０の雌ネジ１７となる雄ネジ部５３が形成されている。この雄ネジ部５３は転造や切削加工などの適時手段によって形成されているが、図４の一点鎖線及び図５の斜線で示すように雄ネジ部５３の終端に位置して雄ネジ部５３の山部５３ａを傾斜状に削り取って切削部５５を形成し、雄ネジ部５３の谷部５３ａと緩やかに連続させている。このように、中子型５１の雄ネジ部５３の終端に位置する山部５３ａを谷部５３ｂと連続するように切削部５５を成形することにより、ホルダ４０の雌ネジ部１７の谷部１７ｂの終端には山部１７ａに向かって傾斜した傾斜面１８が形成される。このように、ホルダ４０の雌ネジ部１７の終端に谷部１７ｂから山部１７ａに向かう傾斜面１８を形成することによってホルダ４０の雌ネジ部１７に鏡筒１５の雄ネジ部１６を螺着した際、鏡筒１５の雄ネジ部１６の始端がホルダ４０の雌ネジ部１７の終端に形成した傾斜面１８に突き当り、鏡筒１５の締め付け方向への回転を規制するストッパ部１９となる。なお、前記成形機５２の射出工程後、冷却工程を経てホルダ４０の取り出し工程となるが、取り出し工程では金型５０を型開きした後、中子型５１を緩める方向に回転させることによって、ホルダ４０から中子型５１を抜き取り、成形機５２からホルダ４０を離型する。
【００２６】
以上のように構成される上記実施例においては、レンズユニット４を組み込んだ鏡筒１５の外周面に形成する雄ネジ部１６をホルダ４０の内周面に形成した雌ネジ１７に螺着してホルダ４０に鏡筒１５を組み込む。この際、鏡筒１５の雄ネジ部１６の始端がホルダ４０の雌ネジ部１７の終端に形成したストッパ部１９となる傾斜面１８に突き当って、それ以上の鏡筒１５の締め付け方向の回転が規制される。こうしてホルダ４０にレンズユニット４を組み込んだ鏡筒１５を仮り止めした後、ホルダ４０に撮像素子２０を含む各種電子部品を実装する基板３０を組付けてモジュール化し、ホルダ４０に螺着した鏡筒１５のネジ込み量を調整し、ホルダ４０に対する鏡筒１５の光軸方向の位置を調整して撮像素子２０に対するレンズユニット４の焦点合わせを行い、鏡筒１５の光軸方向の位置合わせが完了した後、接着剤によってホルダ４０と鏡筒１５とを一体化する。この際、鏡筒１５は雌ネジ部１７の終端に形成したストッパ部１９（傾斜面１８）によって鏡筒１５の締め付け方向の回転が規制されているから、ホルダ４０から鏡筒１５が突出して撮像素子２０に衝突することなく、安全かつ容易に撮像素子２０に対するレンズユニット４の焦点合わせを行うことができる。
【００２７】
以上のように、本実施例においては、ホルダ４０に鏡筒１５をねじ込む際、鏡筒１５の雄ネジ部１６の始端がホルダ４０の雌ネジ部１７の終端に形成したストッパ部１９に突き当って、鏡筒１５の締め付け方向の回転が規制される。したがって、ホルダ４０から鏡筒１５が突出して撮像素子２０に衝突することなく、安全に調整作業を行うことができる。特に、携帯電話に搭載している撮像レンズモジュール１は、それ自体が極めて小型であり、かつ、撮像レンズモジュール１を搭載する携帯電話も近年、益々薄型化され、携帯電話に組み込まれる撮像レンズモジュール１の低背化（薄型化）への要望は大きい。このため、ホルダ４０を含む撮像レンズモジュール１のサイズはできるだけ、薄く成形せざるを得ないが、ホルダ４０の雌ネジ部１７の終端に形成したストッパ部１９によって鏡筒１５の締め付け方向の回転が規制され、鏡筒１５に組み込まれたレンズユニット４の焦点距離を調整する際、ホルダ４０からの鏡筒１５の突出を確実に防止することができる。したがって、鏡筒１５の組付け時又は鏡筒１５のレンズユニット４の焦点距離を調整する際、鏡筒１５と撮像素子２０とが衝突することはない。また、鏡筒１５の締め付け方向の回転を規制するストッパ部１９が傾斜した傾斜面１８で構成されているから、鏡筒１５を締め付けた際、鏡筒１５の雄ネジ部１６の始端が傾斜面１８に緩やかに乗り上がって鏡筒１５の締め付け方向の回転が阻止されることになるから、雄ネジ部１６が潰れて鏡筒１５の回転に支障を来たす虞もない。
【００２８】
以上に、本発明の実施例について説明したが、本発明は前述の実施例に限定されるものではなく、種々の設計変更が可能である。例えば、鏡筒に組み込むレンズの枚数や、ホルダや鏡筒の形状といった撮像レンズモジュールの基本的構造は適宜選定すればよい。また、筒体の例として撮像レンズモジュール１のホルダ４０を例として説明したが、必ずしも撮像レンズモジュール１に限定されるものではなく、キャップのネジなど各種のネジ構造にも広く適用可能である。
【図面の簡単な説明】
【００２９】
【図１】本発明の一実施例を示す撮像レンズモジュールの断面図である。
【図２】同上、一部を断面としたホルダの斜視図である。
【図３】同上、ストッパ部を示すホルダの要部の拡大斜視図である。
【図４】同上、ホルダの成形方法を示す金型装置の断面図である。
【図５】同上、中子型の切削部分を示す説明図である。
【符号の説明】
【００３０】
１  撮像レンズモジュール
４  レンズユニット
１５  鏡筒
１６  雄ネジ部
１７  雌ネジ部
１７ａ  山部
１７ｂ  谷部
１８  傾斜面
１９  ストッパ部
２０  撮像素子
４０  ホルダ（筒体）
５０  金型
５１  中子型
５３ａ  山部
５３ｂ  谷部
５５  切削部
【図１】
2009294339.tif 000003
【図２】
2009294339.tif 000004
【図３】
2009294339.tif 000005
【図４】
2009294339.tif 000006
【図５】
2009294339.tif 000007